(57)【要約】      （修正有）【課題】紙葉類に対する挟持力を保持しつつ、紙葉類の束である紙葉束が通過する際にも適切な搬送を行える紙葉類処理装置を提供する。【解決手段】一対の無端ベルト１０、２０ａと、各無端ベルト１０、２０ａの搬送経路を形成する複数のプーリ１１、２１、２２、２３、２４とを備え、一方の無端ベルト２０ａに互いに隣接状態で接する第１プーリ２１及び第２プーリ２２に対し、これら第１プーリ２１及び第２プーリ２２が接する無端ベルトと対をなす他方の無端ベルト１０に接する第３プーリ１１が第１プーリ２１及び第２プーリ２２の間にある位置関係が成立し、第１プーリ２１と第１プーリ２１が接する無端ベルト１０との接点Ｐ１から第２プーリ２２と第２プーリ２２が接する無端ベルト１０との接点Ｑ１までの紙葉類搬送路Ｘａの距離Ｄ１が、当該紙葉類搬送路Ｘａに沿って搬送される紙幣の搬送方向の長さＬ以下となるように構成した。【選択図】図２
2011088745.tif 000002
【特許請求の範囲】
【請求項１】
互いに対向する部位で紙葉類を挟持しつつ搬送するための紙葉類搬送路を形成する一対の無端ベルトと、前記各無端ベルトの搬送経路を形成する複数のプーリとを具備するものであって、
前記紙葉類搬送路を支持する位置に配置されるプーリの少なくとも一部において、前記一対の無端ベルトの何れかに互いに隣接状態で接する第１プーリ及び第２プーリに対し、これら第１プーリ及び第２プーリが接する無端ベルトと対をなす他方の無端ベルトに接する第３プーリが前記第１プーリ及び第２プーリの間にある位置関係が成立し、前記第１プーリと当該第１プーリが接する無端ベルトとの接点から前記第２プーリと当該第２プーリが接する無端ベルトとの接点までの紙葉類搬送路の距離が、当該紙葉類搬送路に沿って搬送される紙葉類の搬送方向の長さ以下となるように構成したことを特徴とする紙葉類処理装置。
【請求項２】
互いに対向する部位で紙葉類を挟持しつつ搬送するための紙葉類搬送路を形成する一対の無端ベルトと、前記各無端ベルトの搬送経路を形成する複数のプーリとを具備するものであって、
前記紙葉類搬送路を支持する位置に配置されるプーリのうち、前記一対の無端ベルトの何れかに互いに隣接状態で接する第１プーリ及び第２プーリに対し、これら第１プーリ及び第２プーリが接する無端ベルトと対をなす他方の無端ベルトに接する第３プーリが前記第１プーリ及び第２プーリの間にある位置関係が成立する全ての３つのプーリの組について、各組ごとに前記第１プーリと当該第１プーリが接する無端ベルトとの接点から前記第２プーリと当該第２プーリが接する無端ベルトとの接点までの紙葉類搬送路の距離が、当該紙葉類搬送路に沿って搬送される紙葉類の搬送方向の長さ以下となるように構成したことを特徴とする紙葉類処理装置。
【請求項３】
複数の無端ベルトの内１の無端ベルトに対して、他の２以上の無端ベルトを各々対向させて複数の紙葉類搬送路を形成してなるものにおいて、
各紙葉類搬送路ごとに、１の無端ベルトと、他の１の無端ベルトと、これら一対の無端ベルトの何れかに互いに隣接状態で接する第１プーリ及び第２プーリと、これら第１プーリ及び第２プーリが接する無端ベルトと対をなす他方の無端ベルトに接する第３プーリとの間に上記の関係が成立するように構成している請求項１又は２記載の紙葉類処理装置。
【発明の詳細な説明】
【技術分野】
【０００１】
本発明は、紙葉類に対する搬送機能を高めた紙葉類処理装置に関するものである。
【背景技術】
【０００２】
従来、紙幣や帳票、鉄道等で利用される切符等の紙葉類を処理する装置として種々の紙葉類処理装置が開発されている。このような紙葉類処理装置は、例えば紙幣であれば入金された紙幣を所定の読取位置に搬送して金種を読み取り、読み取った金種情報に基づいて紙幣を所定の金庫に仕分けて搬送するとともに、出金時には所定の金庫から取り出した紙幣を所定の読取位置に搬送して金種を読み取り、出金を間違いなく行うこと等が可能になっている。更に、外部からの紙幣の補給や、外部への紙幣の回収のためにも、内部で紙幣を搬送することがある。このような紙幣を始めとする紙葉類処理装置には、装置内の各処理部へ紙葉類を搬送するために紙葉類搬送機構が設けられている。
【０００３】
この種の紙葉類搬送装置として、例えば特許文献１に示されるように、互いに対向する部位で紙葉類を挟持しつつ搬送するための紙葉類搬送路を形成する一対の無端ベルトと、前記各無端ベルトの搬送経路を形成する複数のプーリとを具備するものが知られている。
【０００４】
すなわち、一方の無端ベルトに接するプーリと、他方の無端ベルトに接するプーリとが千鳥状に配置され、無端ベルトがその間を通過するように配されて、無端ベルトを両側から支持するように構成されている。
【先行技術文献】
【特許文献】
【０００５】
【特許文献１】特開２００１−８０７８０号公報
【発明の概要】
【発明が解決しようとする課題】
【０００６】
しかしながら、上記特許文献１の構成は、一対の無端ベルトによって紙葉類を挟持する構造を採用しているにも拘らず、無端ベルトに接してこれをバックアップするプーリが比較的広い間隔で点在しているため、紙葉類搬送路を通過する間に無端ベルトを介して紙葉類が１つのプーリのみにしかバックアップされない領域が存在する。このため、紙葉類に対する挟持力が低下し易く、特に紙葉類の束である紙葉束が通過する際には適切な搬送を行えない可能性がある。
【０００７】
本発明は、このような課題を有効に解決した紙葉類処理装置を提供することを目的としている。
【課題を解決するための手段】
【０００８】
本発明は、かかる目的を達成するために、次のような手段を講じたものである。
【０００９】
すなわち、本発明の紙葉類処理装置は、互いに対向する部位で紙葉類を挟持しつつ搬送するための紙葉類搬送路を形成する一対の無端ベルトと、前記各無端ベルトの搬送経路を形成する複数のプーリとを具備するものにおいて、前記紙葉類搬送路を支持する位置に配置されるプーリの少なくとも一部において、前記一対の無端ベルトの何れかに互いに隣接状態で接する第１プーリ及び第２プーリに対し、これら第１プーリ及び第２プーリが接する無端ベルトと対をなす他方の無端ベルトに接する第３プーリが前記第１プーリ及び第２プーリの間にある位置関係が成立し、前記第１プーリと当該第１プーリが接する無端ベルトとの接点から前記第２プーリと当該第２プーリが接する無端ベルトとの接点までの紙葉類搬送路の距離が、当該紙葉類搬送路に沿って搬送される紙葉類の搬送方向の長さ以下となるように構成したことを特徴とする。
【００１０】
この場合の接点から接点までの距離は、無端ベルトが第１プーリや第２プーリに巻き付いている状態においては、当該無端ベルトから各プーリに最短で接する点を言う。
【００１１】
このように構成すると、紙葉類が第１プーリと第２プーリの間の第３プーリを通過する間に第３プーリのみによる１点支持状態に陥ることがなく、常に第１プーリと第３プーリ、または第２プーリと第３プーリの少なくとも２つに挟持された状態が担保される。このため、紙葉類に対する挟持力の低下を有効に防止することができる。
【００１２】
さらに、他の構成からなる本発明の紙葉類処理装置は、互いに対向する部位で紙葉類を挟持しつつ搬送するための紙葉類搬送路を形成する一対の無端ベルトと、前記各無端ベルトの搬送経路を形成する複数のプーリとを具備するものにおいて、前記紙葉類搬送路を支持する位置に配置されるプーリのうち、前記一対の無端ベルトの何れかに互いに隣接状態で接する第１プーリ及び第２プーリに対し、これら第１プーリ及び第２プーリが接する無端ベルトと対をなす他方の無端ベルトに接する第３プーリが前記第１プーリ及び第２プーリの間にある位置関係が成立する全ての３つのプーリの組について、各組ごとに前記第１プーリと当該第１プーリが接する無端ベルトとの接点から前記第２プーリと当該第２プーリが接する無端ベルトとの接点までの紙葉類搬送路の距離が、当該紙葉類搬送路に沿って搬送される紙葉類の搬送方向の長さ以下となるように構成したことを特徴とする。
【００１３】
このように構成すると、紙葉類が各組における第１プーリと第２プーリの間の第３プーリを通過する間に第３プーリのみによる１点支持状態に陥ることがなく、常に各組における第１プーリと第３プーリ、または第２プーリと第３プーリの少なくとも２つに挟持された状態で紙葉類が次々に搬送される。このため、紙葉類に対する挟持力の低下を紙葉類搬送路全体に亘って有効に防止することができる。
【００１４】
複数の無端ベルトの内１の無端ベルトに対し、他の２以上の無端ベルトを各々対向させて複数の紙葉類搬送路を形成しても、紙葉類を確実に挟持して搬送するためには、各紙葉類搬送路ごとに、１の無端ベルトと、他の１の無端ベルトと、これら一対の無端ベルトの何れかに互いに隣接状態で接する第１プーリ及び第２プーリと、これら第１プーリ及び第２プーリが接する無端ベルトと対をなす他方の無端ベルトに接する第３プーリとの間に上記の関係が成立するように構成することが好ましい。
【発明の効果】
【００１５】
本発明は、以上説明した構成であるから、紙葉類が第１プーリと第２プーリの間を通過する間に第３プーリのみによる１点支持状態に陥ることがなく、常に第１プーリと第３プーリ、または第２プーリと第３プーリの少なくとも２つに挟持された状態が担保される。このため、紙葉類に対する挟持力の低下を有効に防止して、１枚の紙葉類を搬送する際にも、紙葉類の束である紙葉束を搬送する際にも、適切な搬送機能を発揮することができる。
【図面の簡単な説明】
【００１６】
【図１】本発明の一実施形態に係る紙葉類処理装置の模式的な全体図。
【図２】同実施形態における紙葉類搬送機構の概略を示す模式図。
【図３】同実施形態における紙葉類搬送機構の一部の紙葉類搬送路を示す模式図。
【図４】同実施形態における紙葉類搬送機構の他の一部の紙葉類搬送路を示す模式図。
【図５】同実施形態における紙葉類搬送機構の更に他の一部の紙葉類搬送路を示す模式図。
【図６】図５における作用説明図。
【発明を実施するための形態】
【００１７】
以下、本発明の一実施形態を、図面を参照して説明する。
【００１８】
図１に示すように、この紙葉類処理装置は、取り扱う紙葉類が紙幣１００であって、紙幣１００の入金・出金を処理するために、入金された紙幣１００を所定の読取位置Ａ５に搬送して金種を読み取り、読み取った金種情報に基づいて紙幣１００を所定の金庫Ａ１、Ａ２、Ａ３、Ａ４に仕分けて搬送するとともに、出金時に所定の金庫Ａ１、Ａ２、Ａ３、Ａ４から取り出した紙幣１００を所定の読取位置Ａ６に搬送して金種を読み取り、出金を間違いなく行うことを可能にするものである。更に、外部からの紙幣１００の補給や、外部への紙幣１００の回収のためにも、装置内部で紙幣１００を搬送することがある。このような紙幣１００を始めとする紙葉類処理装置には、装置内部の各処理部へ紙幣１００を搬送するために紙葉類搬送機構Ａ７が設けられている。
【００１９】
この紙葉類搬送機構Ａ７は、いくつかの搬送経路が組み合わさって、複数箇所に、無端ベルトを二重に突き合わせた紙葉類搬送路を形成している。図２はその一部を示しており、第１の搬送経路１に対して例えば第２の搬送経路２ａ、２ｂ等が、また、第３の搬送経路３に対して第４の搬送経路４が、それぞれ対向配置され、その間に紙葉類搬送路Ｘａ、Ｘｂ、Ｘｃを形成している。
【００２０】
第１の搬送経路１は、トラック状に周回する無端ベルト１０と、この無端ベルト１０の内側を支持するプーリ１１〜１９ｂ等とによって構成されている。
【００２１】
第２の搬送経路２ａは、一部凹状をなして周回する無端ベルト２０ａと、この無端ベルト２０ａの内側を支持するプーリ２１、２２、２３、２４等によって構成されている。
【００２２】
紙葉類搬送路Ｘａは、第１の搬送経路１のＵ字状に折り返す部分と、第２の搬送経路２ａの凹状をなす部分とが対向して無端ベルト１０、２０ａ同士が重合する位置に形成されている。この場合、図３に拡大図示するように、第２の搬送経路２ａを構成する無端ベルト２０ａに内接して紙葉類搬送路Ｘａを支持する第１プーリ２１および第２プーリ２２と、第１の搬送経路１を構成する無端ベルト１０に内接して紙葉類搬送路Ｘａを支持する第３プーリ１１とは、搬送方向に沿って第１プーリ２１と第２プーリ２２の間に第３プーリ１１が位置する関係にあり、さらに言えば、第１の搬送経路１を構成する無端ベルト１０と第１プーリ２１との接点Ｐ１（紙幣１００があるときには紙幣１００を介した接点Ｐ１）から当該第１の搬送経路１を構成する無端ベルト１０と第２プーリ２２との接点Ｑ１（紙幣１００があるときには紙幣１００を介した接点Ｑ１）までの紙葉類搬送路Ｘａの距離Ｄ１を、当該紙葉類搬送路Ｘａに沿って搬送される紙幣１００の一端１００ａから他端１００ｂまでの搬送方向の長さＬ以下（Ｄ１≦Ｌ）となるように構成している。換言すれば、外側の無端ベルト２０ａは内側の無端ベルト１０を介して（紙幣１００があるときには紙幣１００及び内側の無端ベルト１０を介して）第３プーリ１１に巻き付いており、外側の無端ベルト２０ａが紙幣１００や内側の無端ベルト１０を介して第３プーリ１１に接している２点をそれぞれＲ１、Ｓ１とすると、Ｐ１点からＲ１点までの距離ｄ１と、Ｓ１点からＱ１点までの距離ｄ２と、無端ベルト１０が第３プーリ１１に巻きついているＲ１点からＳ１点までの距離ｄ３とを加えた長さＤ１（＝ｄ１＋ｄ２＋ｄ３）と、紙幣１００の搬送方向の長さＬとの関係が、Ｄ１≦Ｌとなるように設定している。この場合、無端ベルト１０が第１プーリ２１や第２プーリ２２に巻き付いているが、接点Ｐ１から接点Ｑ１までの距離Ｄ１というときの接点Ｐ１、Ｑ１は、当該無端ベルト１０から各プーリ２１、２２に最短で接する点を言う（以下、同様）。この関係は、搬送方向の長さが最も短い金種の紙幣（日本円であれば千円札）に対して成立する。これはドルやユーロなどでも同様である（以下、同様）。
【００２３】
また、図２に示すもう一つの第２の搬送経路２ｂは、トラック状に周回する無端ベルト２０ｂと、この無端ベルト２０ｂの内側を支持するプーリ２５、２６とによって構成されている。
【００２４】
紙葉類搬送路Ｘｂは、第１の搬送経路１の直線部分と、第２の搬送経路２ｂの直線部分とが対向して無端ベルト１０、２０ｂ同士が重合する位置に形成されている。この場合、図４に拡大図示するように、第２の搬送経路２ｂを構成する無端ベルト２０ｂに接して紙葉類搬送路Ｘｂを支持する第１プーリ２５および第２プーリ２６と、無端ベルト１０に接して紙葉類搬送路Ｘｂを支持する第３プーリ１３とは、搬送方向に沿って第１プーリ２５および第２プーリ２６の間に第３プーリ１３が位置する関係にあり、さらに言えば、第１の搬送経路１を構成する無端ベルト１０と第１プーリ２５との接点Ｐ２（紙幣１００があるときには紙幣１００を介した接点Ｐ２）から当該第１の搬送経路１を構成する無端ベルト１０と第２プーリ２６との接点Ｑ２（紙幣１００があるときには紙幣１００を介した接点Ｑ２）までの紙葉類搬送路Ｘｂの距離Ｄ２を、当該紙葉類搬送路Ｘｂに沿って搬送される紙幣１００の搬送方向の長さＬ以下（Ｄ２≦Ｌ）となるように構成している。すなわち、一方の無端ベルト２０ｂは他方の無端ベルト１０を介して（紙幣１００があるときには紙幣１００及び内側の無端ベルト１０を介して）第３プーリ１３に接しているだけで巻き付いてはいないので、一方の無端ベルト２０が紙幣１００や他方の無端ベルト１０を介して第３プーリ１３に接している２点をＲ２とした場合に、Ｐ２点からＲ２点までの距離ｄ１と、Ｑ２点からＲ２点までの距離ｄ２とを加えた長さＤ２（＝ｄ１＋ｄ２）と、紙幣１００の搬送方向の長さＬとの関係が、Ｄ２≦Ｌとなるように設定している。つまり、図３においてｄ３＝０とした場合に相当し、Ｄ（＝ｄ１＋ｄ２＋ｄ３）≦Ｌと一般化することもできる。
【００２５】
このように、共通の無端ベルト１０に対して、２つの無端ベルト２０ａ、２０ｂを紙葉類搬送路Ｘａ、Ｘｂに沿って対向させる場合、共通の無端ベルト１０と各無端ベルト２０ａ、２０ｂとの間に形成される各々の紙葉類搬送路Ｘａ、Ｘｂにおいて、一対の無端ベルト１０、２０と、第１プーリ２１、２５、第２プーリ２２、２６および第３プーリ１１、１３が、それぞれ、Ｄ１≦Ｌ、Ｄ２≦Ｌの関係を有するものであり、共通の無端ベルト１０に沿って図示しない他の無端ベルトを更に設けて無端ベルト同士が二重化した紙葉類搬送路においても、このような関係が成立するように構成する。
【００２６】
さらに、図２における第３の搬送経路３と第４の搬送経路４の関係においても基本的に同様であるが、ここでは、無端ベルト３０、４０同士が対向した位置に形成される紙葉類搬送路Ｘｃを支持する位置に、第３の搬送経路３側にも第４の搬送経路４側にも複数のプーリが存在する。
【００２７】
すなわち、第３の搬送経路３側において紙葉類搬送路Ｘｃを支持するのは２つのプーリ３１、３２であり、第４の搬送経路４側において紙葉類搬送路Ｘｃを支持するのは３つのプーリ４１、４２、４３であり、第１プーリをプーリ４１、第２プーリをプーリ４２、第３プーリをプーリ３１としたときに、図５及び図６（ａ）に示すように、第１プーリ４１および第２プーリ４２は一方の無端ベルト４０に接点Ｐ３、Ｑ３で接し、第３プーリ３１はそれらの接点Ｐ３、Ｑ３の接触部位Ｒ３間で無端ベルト３０に接し、Ｐ３点からＲ３を介してＱ３点までの長さＤ３が紙幣１００の一端１００ａから他端１００ｂまでの長さＬよりも短くなるように設定されている（Ｄ３≦Ｌ）。
【００２８】
このような関係は、図６（ｂ）に示すように第１プーリをプーリ３１、第２プーリをプーリ３２、第３プーリをプーリ４２としたときにも、図６（ｃ）に示すように第１プーリをプーリ４２、第２プーリをプーリ４３、第３プーリをプーリ３２としたときにも、全く同様に成立する。
【００２９】
更に言えば、一つ飛ばしに隣接する一対のプーリ４１、４３間の距離でさえも、紙幣１００の長さよりも短くなるように設定しており、第３、第４の搬送経路３、４の間に構成する紙葉類搬送路Ｘｃが、多点支持によって紙幣１００を安定して搬送可能なように構成している。これは、図２における他の箇所においても同様である。
【００３０】
また、このような構成は、図示のように蛇行した状態に支持される場合に限らず、図４と同様に直線状に延びた状態に支持される構造においても同様に適用することができる。
【００３１】
以上のように、本実施形態の紙葉類処理装置は、互いに対向する部位で紙幣１００を挟持しつつ搬送するための紙葉類搬送路Ｘａを形成する一対の無端ベルト１０、２０ａと、前記各無端ベルト１０、２０ａの搬送経路を形成する複数のプーリ１１、２１、２２、２３、２４とを具備し、前記紙葉類搬送路Ｘａを支持する位置に配置されるプーリ１１、２１、２２、２３、２４の少なくとも一部において、一方の無端ベルト２０ａに互いに隣接状態で接する第１プーリ２１及び第２プーリ２２に対し、これら第１プーリ２１及び第２プーリ２２が接する無端ベルト２０ａと対をなす他方の無端ベルト１０に接する第３プーリ１１が前記第１プーリ２１及び第２プーリ２２の間にある位置関係が成立し、第１プーリ２１と当該第１プーリ２１が接する無端ベルト１０との接点Ｐ１から第２プーリ２２と当該第２プーリ２２が接する無端ベルト１０との接点Ｑ１までの紙葉類搬送路Ｘａの距離Ｄ１が、当該紙葉類搬送路Ｘａに沿って搬送される紙幣１００の搬送方向の長さＬ以下となるように構成したものである。このため、紙幣１００が第１プーリ２１と第２プーリ２２の間の第３プーリ１１を通過する間に第３プーリ１１のみによる１点支持状態に陥ることがなく、常に第１プーリ２１と第３プーリ１１、または第２プーリ２２と第３プーリ１１の少なくとも２つに挟持された状態が担保される。このため、紙幣１００に対する挟持力の低下を有効に防止して、紙幣１００が一枚である場合にも、紙幣１００が紙幣束である場合も、適切な搬送機能を発揮することができる。
【００３２】
このような構成及び作用効果は、例えば紙葉類搬送路Ｘｂを構成する無端ベルト１０、２０ｂと、第１、第２のプーリ２５、２６と、第３プーリ１３との関係等においても、全く同様である。
【００３３】
更に言えば、図５及び図６に示したように、互いに対向する部位で紙幣１００を挟持しつつ搬送するための紙葉類搬送路Ｘｃを形成する一対の無端ベルト３０、４０と、前記各無端ベルト３０、４０の搬送経路を形成する複数のプーリ３１、３２、４１、４２、４３等とを具備し、前記紙葉類搬送路Ｘｃを支持する位置に配置されるプーリ３１、３２、４１、４２、４３のうち、前記一対の無端ベルト３０又は４０の何れかに互いに隣接状態で接する第１、第２プーリ（４１、４２）、（３１、３２）、（４２、４３）に対し、これらの第１、第２プーリ（４１、４２）、（３１、３２）、（４２、４３）が接する無端ベルト４０、３０、４０と対をなす他方の無端ベルト３０、４０、３０に接する第３プーリ３１、４２、３２が前記各第１、第２プーリ（４１、４２）、（３１、３２）、（４２、４３）の間にある位置関係が成立する３つのプーリの組（４１、４２、３１）、（３１、３２、４２）、（４２、４３、３２）が存在するものである。そして、各組ごとに一方のベルト４０、３０、４０に第１、第２プーリ（４１、４２）、（３１、３２）、（４２、４３）が接する際の両接点Ｐ３、Ｑ３間の距離Ｄ３が、当該紙葉類搬送路Ｘｃに沿って搬送される紙幣１００の搬送方向の長さＬ以下となるように構成したので（Ｄ３≦Ｌ）、紙幣１００が紙葉類搬送路Ｘｃを通過する間に第３プーリ３１、４２、３２のみによる１点支持状態に陥ることがなく、第１、第２プーリ（４１、４２）、（３１、３２）、（４２、４３）の何れかの補助の下に常に少なくとも２つのプーリに挟持された状態で紙幣１００を次々に搬送することができる。このため、紙幣１００に対する挟持力の低下を紙葉類搬送路Ｘｃ全体に亘って有効に防止して、紙幣１００が一枚である場合にも、紙幣１００が紙幣束である場合も、適切な搬送機能を発揮することができる。
【００３４】
更にまた、図２に基づいて説明したように、複数の無端ベルト１０、２０ａ、２０ｂ、５０、６０のうちの１の無端ベルト１０に対し、他の無端ベルト２０ａ、２０ｂ等を各々対向させて複数の紙葉類搬送路Ｘａ、Ｘｂ等を形成するにあたり、各紙葉類搬送路Ｘａ、Ｘｂ等ごとに、１の無端ベルト１０と、他の１の無端ベルト２０ａ、２０ｂ等と、これら一対の無端ベルト（１０、２０ａ）、（１０、２０ｂ）等の何れかに互いに隣接状態で接する第１、第２プーリ（２１、２２）、（２５、２６）等と、これら第１、第２プーリ（２１、２２）、（２５、２６）等が接する無端ベルト２０ａ、２０ｂ等と対をなす他方の無端ベルト１０等に接する第３プーリ１１、１３等との間に上記の関係すなわち、第３プーリ１１、１３等が第１、第２プーリ（２１、２２）、（２５、２６）等の間にあり、第１、第２プーリ（２１、２２）、（２５、２６）等が無端ベルト２０ａ、２０ｂに接する際の接点（Ｐ１、Ｑ１）間、（Ｐ２、Ｑ２）間の距離Ｄ１、Ｄ２が紙葉類の長さＬ以下となる関係が成立するように構成したので、複雑な紙葉類搬送路Ｘａ、Ｘｂ等を形成しても、それぞれ同様の効果が得られて紙幣１００を確実に挟持して搬送することができる。図２において更に無端ベルト１０と無端ベルト５０、６０との間に構成される紙葉類搬送路Ｘｄ、Ｘｅ等においても同様である。
【００３５】
なお、以上において、搬送経路を構成する適宜のプーリにベルト駆動力が導入されるのは言うまでもない。
【００３６】
以上、本発明の実施形態について図面に基づいて説明したが、各部の具体的な構成は上述した実施形態のみに限定されるものではなく、本発明の趣旨を逸脱しない範囲で種々変形が可能である。
【００３７】
例えば、本実施形態では紙葉類を紙幣として扱ったが、紙幣に限らずチケットやカードなどを発券する発券機にも本実施形態は適用可能である。
【符号の説明】
【００３８】
１０………他方の無端ベルト
１１、１３………第３プーリ
２０ａ、２０ｂ……一方の無端ベルト
２１、２５………第１プーリ
２２、２６………第２プーリ
１００……紙葉類
Ｄ１、Ｄ２………紙葉類搬送路の距離
Ｌ…………紙葉類の搬送方向の長さ
Ｘａ、Ｘｂ………紙葉類搬送路
【図１】
2011088745.tif 000003
【図２】
2011088745.tif 000004
【図３】
2011088745.tif 000005
【図４】
2011088745.tif 000006
【図５】
2011088745.tif 000007
【図６】
2011088745.tif 000008